(57)【特許請求の範囲】
【請求項１】
バッテリと、無線受信回路と、第一充電チャンネルと、検出回路と、通信制御回路と、第二充電チャンネルと、を備え、
前記バッテリは、互いに直列に接続されたＮ個のセルを含み、その中において、Ｎは１より大きい正整数であり、
前記無線受信回路は、無線充電装置から送信する電磁信号を受信し、且つ前記電磁信号を前記無線受信回路の出力電圧及び出力電流に変換するために用いられ、
前記第一充電チャンネルは、前記無線受信回路の出力電圧及び出力電流を受信し、且つ前記無線受信回路の出力電圧及び出力電流に基づいて前記バッテリを充電するために用いられ、
前記検出回路は、前記第一充電チャンネルの電圧及び/又は電流を検出するために用いられ、
前記通信制御回路は、前記第一充電チャンネルの出力電圧及び/又は出力電流が前記バッテリの現在要求している充電電圧及び/又は充電電流と一致するように、前記検出回路によって検出された前記第一充電チャンネルの電圧及び/又は電流に応じて前記無線充電装置と無線通信を行って、前記無線充電装置の送信電力を調整するために用いられ、
前記無線充電装置は電源装置と通信して前記電源装置の出力電圧及び／又は出力電流を交渉することにより、前記無線充電装置の送信電力を調整し、
前記第二充電チャンネルには変換回路が設置されており、前記変換回路は前記無線受信回路の出力電圧及び出力電流を受信し、前記無線受信回路の出力電圧及び/又は出力電流に対して定電圧及び/又は定電流制御を行って、前記第二充電チャンネルの出力電圧及び/又は出力電流が前記バッテリの現在要求している充電電圧及び/又は充電電流と一致することにして、且つ前記第二充電チャンネルの出力電圧及び/又は出力電流に基づいて前記バッテリを充電するために用いられ、
前記通信制御回路は、さらに前記第一充電チャンネルと前記第二充電チャンネルとの間の切り替えを制御するために用いられ、
前記通信制御回路は、さらに前記無線充電装置とハンドシェイク通信を行うために用いられ、前記ハンドシェイク通信が成功した場合、前記第一充電チャンネルが作動するように制御し、前記ハンドシェイク通信が失敗した場合、前記第二充電チャンネルが作動するように制御する、
ことを特徴とする被充電機器。
【請求項２】
前記第一充電チャンネルには降圧回路が設置されており、前記降圧回路は、前記無線受信回路の出力電圧を受信し、且つ前記無線受信回路の出力電圧に対して降圧処理を行って前記第一充電チャンネルの出力電圧及び出力電流を獲得し、前記第一充電チャンネルの出力電圧及び出力電流に基づいて前記バッテリを充電するために用いられる、
ことを特徴とする請求項１に記載の被充電機器。
【請求項３】
前記通信制御回路は前記検出回路によって検出された前記第一充電チャンネルの電圧及び/又は電流に応じて前記無線充電装置と無線通信を行うことは、
前記通信制御回路は前記無線充電装置に調整情報を送信することを備え、前記調整情報は前記無線充電装置に電源装置の出力電圧及び/又は出力電流を調整するように指示するために用いられる、
ことを特徴とする請求項２に記載の被充電機器。
【請求項４】
前記通信制御回路は、さらに前記無線充電装置にバッテリの状態情報を送信して、前記無線充電装置が前記バッテリの状態情報に応じて前記無線充電装置の無線送信回路の送信電力を調整するようにするために用いられ、前記バッテリの状態情報は、前記被充電機器のバッテリの現在の電力及び/又は現在の電圧を含む、
ことを特徴とする請求項１に記載の被充電機器。
【請求項５】
前記通信制御回路と前記無線充電装置との間で送信される通信情報は、前記バッテリの温度情報、前記バッテリの充電電圧及び／又は充電電流のピーク値又は平均値を指示する情報、過電圧保護又は過電流保護に入ることを指示する情報、前記無線充電装置と前記無線受信回路との間の電力伝送効率を指示する電力伝送効率情報のうちの少なくとも一種を備える、
ことを特徴とする請求項１に記載の被充電機器。
【請求項６】
前記通信制御回路は、さらに前記バッテリの温度に応じて、前記第一充電チャンネルと前記第二充電チャンネルとの間の切り替えを制御するために用いられる、
ことを特徴とする請求項１に記載の被充電機器。
【請求項７】
前記第一充電チャンネルの電流は脈動直流電流であり、
前記検出回路はサンプルホールド回路を備え、前記サンプルホールド回路がサンプル状態にあるとき、前記サンプルホールド回路は前記脈動直流電流に対してサンプリングするために用いられ、前記サンプルホールド回路がホールド状態にあるとき、前記サンプルホールド回路は前記脈動直流電流の電流ピーク値をホールドするために用いられ、
前記通信制御回路は、さらに前記サンプルホールド回路がホールド状態にあるか否かを判断するために用いられ、前記サンプルホールド回路が前記ホールド状態にあると判断した場合、前記サンプルホールド回路がホールドしている前記脈動直流電流の電流ピーク値を取得する、
ことを特徴とする請求項１に記載の被充電機器。
【請求項８】
前記サンプルホールド回路はキャパシターを備え、前記サンプルホールド回路は、前記サンプルホールド回路のキャパシターに基づいて前記脈動直流電流の電流ピーク値をホールドし、
前記検出回路は放電回路をさらに備え、前記通信制御回路は、さらに前記放電回路によって前記サンプルホールド回路のキャパシター両端の電荷を放電し、従って前記サンプルホールド回路がホールド状態からサンプル状態に切り替えるようにするために用いられる、
ことを特徴とする請求項７に記載の被充電機器。
【請求項９】
無線受信回路を利用して無線充電装置から送信する電磁信号を受信し、且つ前記電磁信号を前記無線受信回路の出力電圧及び出力電流に変換するステップと、
前記無線受信回路の出力電圧及び出力電流に基づいて、第一充電チャンネルを介してバッテリを充電するステップと、
前記第一充電チャンネルの電圧及び/又は電流を検出するステップと、
前記第一充電チャンネルの出力電圧及び/又は出力電流が前記バッテリの現在要求している充電電圧及び/又は充電電流と一致するように、検出された前記第一充電チャンネルの電圧及び/又は電流に応じて前記無線充電装置と無線通信を行って、前記無線充電装置の送信電力を調整するステップと、
を備え、
その中において、前記バッテリは、互いに直列に接続されたＮ個のセルを含み、Ｎは１より大きい正整数であり、
前記無線充電装置は電源装置と通信して前記電源装置の出力電圧及び／又は出力電流を交渉することにより、前記無線充電装置の送信電力を調整し、
さらに、
第二充電チャンネルで前記無線受信回路の出力電圧及び出力電流を受信し、前記無線受信回路の出力電圧及び/又は出力電流に対して定電圧及び/又は定電流制御を行って、前記第二充電チャンネルの出力電圧及び/又は出力電流が前記バッテリの現在要求している充電電圧及び/又は充電電流と一致することにして、且つ前記第二充電チャンネルの出力電圧及び/又は出力電流に基づいて前記バッテリを充電するステップと、
前記第一充電チャンネルと前記第二充電チャンネルとの間の切り替えを制御するステップであって、前記無線充電装置とハンドシェイク通信を行い、前記ハンドシェイク通信が成功した場合、前記第一充電チャンネルが作動するように制御し、前記ハンドシェイク通信が失敗した場合、前記第二充電チャンネルが作動するように制御するステップと、を備える
ことを特徴とする無線充電方法。
【発明の詳細な説明】
【技術分野】
【０００１】
本発明は、無線充電の分野に関し、さらに具体的に、無線充電システム、無線充電方法及び被充電機器に関する。
【背景技術】
【０００２】
現在、充電技術分野では、被充電機器は主に有線充電方式で充電されている。
【０００３】
携帯電話を例に挙げると、現在、携帯電話は依然として主に有線充電方式で充電されている。具体的には、携帯電話を充電することを必要とする場合、ユニバーサルシリアルバス（ｕｎｉｖｅｒｓａｌ  ｓｅｒｉａｌ  ｂｕｓ，ＵＳＢ）ケーブルなどの充電ケーブルによって携帯電話と電源装置を接続することができ、且つこの充電ケーブルによって電源装置の出力電力を携帯電話に伝送して、携帯電話のバッテリーを充電する。
【０００４】
被充電機器にとって、有線充電方式は充電ケーブルを使用することを必要とするので、充電準備段階の作業が煩雑になる。したがって、無線充電方式は、ユーザーの間で人気が高まっている。しかしながら、従来の無線充電方式は効果が悪く、改善する必要がある。
【発明の概要】
【発明が解決しようとする課題】
【０００５】
これに鑑みて、本発明は無線充電装置、無線充電方法及び被充電機器を提供し、無線充電過程を改善する。
【課題を解決するための手段】
【０００６】
第一態様において、本発明は無線充電装置を提供する。前記無線充電装置は、無線送信回路及び通信制御回路を備える。前記無線送信回路は、被充電機器に対して無線充電するために、電磁信号を送信するために用いられる。前記通信制御回路は、前記無線充電中に前記被充電機器と無線通信を行って、前記無線送信回路の送信電力を調整するために用いられる。
【０００７】
第二態様において、本発明は被充電機器を提供する。前記被充電機器は、バッテリと、無線受信回路と、第一充電チャンネルと、検出回路と、通信制御回路と、を備える。前記バッテリは、互いに直列に接続されたＮ個のセルを含み、その中において、Ｎは１より大きい正整数である。前記無線受信回路は、無線充電装置から送信する電磁信号を受信し、且つ前記電磁信号を前記無線受信回路の出力電圧及び出力電流に変換するために用いられる。前記第一充電チャンネルは、前記無線受信回路の出力電圧及び出力電流を受信し、且つ前記無線受信回路の出力電圧及び出力電流に基づいて前記バッテリを充電するために用いられる。前記検出回路は、前記第一充電チャンネルの電圧及び/又は電流を検出するために用いられる。前記通信制御回路は、前記第一充電チャンネルの出力電圧及び/又は出力電流が前記バッテリの現在要求している充電電圧及び/又は充電電流と一致するように、前記検出回路によって検出された前記第一充電チャンネルの電圧及び/又は電流に応じて前記無線充電装置と無線通信を行って、前記無線充電装置の送信電力を調整するために用いられる。
【０００８】
第三態様において、本発明は無線充電方法を提供する。前記無線充電方法は、被充電機器に用いられる。前記無線充電方法は、無線受信回路を利用して無線充電装置から送信する電磁信号を受信し、且つ前記電磁信号を前記無線受信回路の出力電圧及び出力電流に変換するステップと、前記無線受信回路の出力電圧及び出力電流に基づいて、前記第一充電チャンネルを介してバッテリを充電するステップと、前記第一充電チャンネルの電圧及び/又は電流を検出するステップと、前記第一充電チャンネルの出力電圧及び/又は出力電流が前記バッテリの現在要求している充電電圧及び/又は充電電流と一致するように、検出された前記第一充電チャンネルの電圧及び/又は電流に応じて前記無線充電装置と無線通信を行って、前記無線充電装置の送信電力を調整するステップと、を備え、その中において、前記バッテリは、互いに直列に接続されたＮ個のセルを含み、Ｎは１より大きい正整数である。
【図面の簡単な説明】
【０００９】
【図１】従来の無線充電システムの構造を示す例示的な図である。
【図２】本発明の一実施形態に係わる無線充電システムの構造を示す図である。
【図３】本発明の別の実施形態に係わる無線充電システムの構造を示す図である。
【図４】本発明のさらに別の実施態様に係わる無線充電システムの構造を示す図である。
【図５】本発明のさらに別の実施態様に係わる無線充電システムの構造を示す図である。
【図６】本発明のさらに別の実施態様に係わる無線充電システムの構造を示す図である。
【図７】本発明の一実施形態に係わる被充電機器の構造を示す図であるである。
【図８】本発明の別の実施形態に係わる被充電機器の構造を示す図であるである。
【図９】本発明の実施形態に係わる無線充電方法を示すフローチャートである。
【図１０】本発明の別の実施形態に係わる無線充電方法を示すフローチャートである。
【発明を実施するための形態】
【００１０】
本発明の実施形態は、無線充電技術に基づいて被充電機器に対して充電する。無線充電技術はケーブルを使用しなく電力伝送を完了することができるので、充電準備段階の操作が簡単になる。
【００１１】
従来の無線充電技術では、一般的に電源装置（アダプタなど）と無線充電装置（無線充電台座など）を接続して、前記無線充電装置によって電源装置の出力電力を無線方式（電磁信号又は電磁波など）で被充電機器に送信して、被充電機器に対して無線充電を行う。
【００１２】
異なる無線充電原理によって、無線充電方式は主に３つのタイプ、即ち磁気結合（又は電磁誘導）、磁気共鳴、及び無線電波に分けられる。現在、主流の無線充電規格は、ＱＩ規格、ＰＭＡ（ｐｏｗｅｒ  ｍａｔｔｅｒｓ  ａｌｌｉａｎｃｅ）規格、無線電力アライアンス（ａｌｌｉａｎｃｅ  ｆｏｒ  ｗｉｒｅｌｅｓｓ  ｐｏｗｅｒ，Ａ４ＷＰ）規格を含む。ＱＩ規格及びＰＭＡ規格はいずれも磁気結合方式で無線充電を行う。Ａ４ＷＰ規格は磁気共鳴方式で無線充電を行う。
【００１３】
以下、図１を参照して、従来の無線充電方式を紹介する。
【００１４】
図１に示されたように、無線充電システムは、電源装置１１０と、無線充電装置１２０と、被充電機器１３０と、を備える。無線充電装置１２０は、例えば、無線充電台座であることができる。被充電機器１３０は、例えば、端末であることができる。
【００１５】
電源装置１１０が無線充電装置１２０に接続されると、電源装置１１０の出力電流は無線充電装置１２０に伝送されることができる。無線充電装置１２０はその内部の無線送信回路１２１を介して電源装置１１０の出力電流を電磁信号（又は電磁波）に変換して送信することができる。例えば、無線送信回路１２１は電源装置１１０の出力電流を交流電流（ＡＣ）に変換し、且つ送信コイル又は送信アンテナ（図示せず）によって交流電流を電磁信号に変換することができる。
【００１６】
被充電機器１３０は、無線受信回路１３１によって無線送信回路１２１から送信する電磁信号を受信し、且つこの電磁信号を無線受信回路１３１の出力電流に変換することができる。例えば、無線受信回路１３１は、受信コイル又は受信アンテナ（図示せず）によって無線送信回路１２１から送信する電磁信号を交流電流に変換し、且つ交流電流に対して整流及び/又はフィルタリングなどの操作を行って、交流電流を無線受信回路１３１の出力電圧と出力電流に変換することができる。
【００１７】
従来の無線充電技術にとって、無線充電が始まる前に、無線充電装置１２０と被充電機器１３０は無線送信回路１２１の送信電力を事前に交渉する。無線充電装置１２０と被充電機器１３０が交渉した電力は５Ｗであると仮定すると、無線受信回路１３１の出力電圧と出力電流は一般的に５Ｖ及び１Ａである。無線充電装置１２０と被充電機器１３０が交渉した電力は１０．８Ｗであると仮定すると、無線受信回路１３１の出力電圧と出力電流は一般的に９Ｖ及び１．２Ａである。
【００１８】
被充電機器１３０内のバッテリ１３３の予想充電電圧及び/又は充電電流を獲得するために、無線受信回路１３１の出力電圧はバッテリ１３３の両端に直接に印加することには適していなく、先ず被充電機器１３０内の変換回路１３２によって変換しなければならない。
【００１９】
バッテリ１３３の予想充電電圧及び/又は充電電流に関する要件を満たすように、変換回路１３２は無線受信回路１３１の出力電圧を変換するために用いられる（例えば、定電圧及び/又は定電流制御である）。
【００２０】
一例として、変換回路１３２は、充電集積回路（ｉｎｔｅｇｒａｔｅｄ  ｃｉｒｃｕｉｔ，ＩＣ）のような充電管理モジュールであることができる。バッテリ１３３の充電過程で、変換回路１３２はバッテリ１３３の充電電圧及び/又は充電電流を管理することができる。変換回路１３２は、バッテリ１３３の充電電圧及び/又は充電電流を管理するために、電圧フィードバック機能及び/又は電流フィードバック機能を含むことができる。
【００２１】
例えば、バッテリーの充電過程は、トリクル充電段階、定電流充電段階及び定電圧充電段階のうちの少なくとも１つを含むことができる。トリクル充電段階において、変換回路１３２は電流フィードバック機能を利用して、トリクル充電段階でバッテリ１３３に流れる電流がバッテリ１３３の予想充電電流の大きさ（例えば、第一充電電流）を満足することにする。定電流充電段階において、変換回路１３２は電流フィードバック機能を利用して、定電流充電段階でバッテリ１３３に流れる電流がバッテリ１３３の予想充電電流の大きさ（例えば、第二充電電流であり、第二充電電流は第一充電電流より大きいことができる）を満足することにする。定電圧充電段階において、変換回路１３２は電圧フィードバック機能を利用して、定電圧充電段階でバッテリ１３３の両端に印加された電圧の大きさがバッテリ１３３の予想充電電圧の大きさを満足することにする。
【００２２】
一例として、無線受信回路１３１の出力電圧がバッテリ１３３の予想充電電圧よりも高い場合、降圧変換後の充電電圧がバッテリ１３３の予想充電電圧需要を満たすように、変換回路１３２は無線受信回路１３１の出力電圧に対して降圧処理を行うことができる。他の例として、無線受信回路１３１の出力電圧がバッテリ１３３の予想充電電圧より低い場合、昇圧変換後の充電電圧がバッテリ１３３の予想充電電圧需要を満たすように、変換回路１３２は無線受信回路１３１の出力電圧に対して昇圧処理を行うことができる。
【００２３】
さらに他の例として、無線受信回路１３１の出力電圧は、例えば、５Ｖの一定電圧であり、バッテリ１３３が単一のセル（リチウムバッテリセルを例に挙げると、単一のセルの充電カットオフ電圧は、一般的に４．２Ｖである）を含む場合、変換回路１３２（例えば、Ｂｕｃｋ降圧回路）は無線受信回路１３１の出力電圧に対して降圧処理を行うことができ、従って降圧してから獲得した充電電圧がバッテリ１３３の予想充電電圧需要を満たすようにする。
【００２４】
さらに他の例として、無線受信回路１３１の出力電圧は、例えば、５Ｖの一定電圧であり、 バッテリ１３３が直列に接続された２つ以上の単セル（リチウムバッテリセルを例に挙げると、単一のセルの充電カットオフ電圧は、一般的に４．２Ｖである）を含む場合、変換回路１３２（例えば、Ｂｏｏｓｔ昇圧回路）は無線受信回路１３１の出力電圧に対して昇圧処理を行うことができ、従って昇圧してから獲得した充電電圧がバッテリ１３３の予想充電電圧需要を満たすようにする。
【００２５】
変換回路１３２は、回路変換効率が低いという理由に制限されて、変換されなかった電気エネルギーは熱の形で消散される。この部分の熱は被充電機器１３０の内部に蓄積される可能性がある。被充電機器１３０の設計スペース及び放熱スペースはいずれも非常に小さい（例えば、ユーザーが使用する携帯端末の物理的サイズはますます軽量化、薄型化になるとともに、携帯端末の性能を向上させるために、携帯端末内に多数の電子部品が密集して配置されている）ので、変換回路１３２の設計難易度が向上するだけではなく、被充電機器１３０の内部に蓄積された熱を速やかに除去することは困難であり、結果的に被充電機器１３０の異常が発生する。
【００２６】
例えば、変換回路１３２に蓄積された熱は、変換回路１３２の近傍の電子部品に熱干渉を招く、その結果、電子部品の動作異常を引き起こす可能性がある。さらに、一例では、変換回路１３２に蓄積された熱は、変換回路１３２及び変換回路１３２の近傍の電子部品の寿命を短縮する可能性がある。さらに別の例では、変換回路１３２に蓄積された熱は、バッテリ１３３に熱干渉を招く、バッテリ１３３の異常充電及び異常放電を引き起こす可能性がある。さらに別の例では、変換回路１３２に蓄積された熱は、被充電機器１３０の温度を上昇させて、充電過程でユーザーの使用経験に影響を与える可能性がある。さらに別の例では、変換回路１３２に蓄熱された熱は、変換回路１３２自体を短絡させる可能性があり、その結果、無線受信回路１３１の出力電圧が直接にバッテリ１３３の両端に印加されて、充電異常を引き起こし、もしバッテリ１３３が長時間過電圧で充電される場合、バッテリ１３３の爆発を引き起こし、ユーザーの安全が危険になる可能性がある。
【００２７】
上記の問題を解決するために、本開示の実施形態は無線充電システムを提供する。無線充電システムでは、無線充電装置と被充電機器は無線通信を行うことができる。また、無線充電装置の送信電力が被充電機器内のバッテリの現在要求している充電電圧及び/又は充電電流と一致するように（又は被充電機器内のバッテリの現在の充電段階と一致するように）、被充電機器のフィードバック情報に応じて無線充電装置の送信電力を調整することができる。無線充電装置の送信電力がバッテリの現在要求している充電電圧及び/又は充電電流と一致することは、無線充電装置は電磁信号の送信電力を設定して、無線受信回路がこの電磁信号を受信した後、無線受信回路の出力電圧及び/又は出力電流が被充電機器内のバッテリの要求している充電電圧及び/又は充電電流と一致する（又は無線受信回路の出力電圧及び/又は出力電流は被充電機器内のバッテリの充電需要を満たす）ことを意味する。これにより、被充電機器において、無線受信回路の出力電圧及び/又は出力電流を直接にバッテリの両端に印加してバッテリを充電することができ（以下、被充電機器のこのような充電方式を「直接充電」という）、上述した変換回路が無線受信回路の出力電圧及び/又は出力電流を変換することによって招くエネルギー損失、発熱などの問題を回避することができる。
【００２８】
変換回路の発熱問題を解決してから、無線充電過程の主な発熱源は、無線送信回路（送信コイルを含む）及び無線受信回路（受信コイルを含む）に集中している。
【００２９】
充電電力は２０Ｗに等しく、単セルの充電電圧／充電電流は５Ｖ／４Ａに等しいことを例として説明する。可能な実施形態として、無線送信回路は５Ｖ／４Ａに基づいて電磁信号を生成することができ、対応して、無線受信回路は電磁信号を５Ｖ／４Ａの出力電圧／出力電流に変換し、このような低電圧大電流に基づく充電方式は、無線送信回路と無線受信回路が電力送信過程で大量の熱を発生することを招く。
【００３０】
無線送信回路と無線受信回路の発熱を低減するために、本発明の実施形態は上述した直接充電モードをさらに改善し、無線受信回路とバッテリとの間に降圧回路を設置し、降圧回路の出力電圧をバッテリの充電電圧とする。依然として、充電電力は２０Ｗに等しく、単セルの充電電圧／充電電流は５Ｖ／４Ａに等しいことを例として説明する。バッテリの充電電圧に対する要求を満たすために、降圧回路の出力電圧/出力電流を５Ｖ／４Ａに維持する必要があり、もし降圧回路が半圧回路であると仮定すると、降圧前の電圧は１０Ｖ／２Ａである。このように、無線送信回路は１０Ｖ／２Ａに基づいて電磁信号を生成し、対応して、無線受信回路は電磁信号を１０Ｖ／２Ａの出力電圧／出力電流に変換し、電流は４Ａから２Ａに減少されるので、電力送信過程で発生する熱もそれに応じて減少される。
【００３１】
以下、図２を参照して、本発明の実施形態に係わる無線充電システム２００について詳細に説明する。
【００３２】
図２に示されたように、本発明の実施形態に係わる無線充電システム２００は、無線充電装置２２０と被充電機器２３０を備えることができる。
【００３３】
無線充電装置２２０は、無線送信回路２２１及び第一通信制御回路２２２を備えることができる。第一通信制御回路２２２の制御機能は、例えば、マイクロ制御ユニット（ｍｉｃｒｏ  ｃｏｎｔｒｏｌ  ｕｎｉｔ，ＭＣＵ）によって実現することができる。
【００３４】
無線送信回路２２１は、被充電機器２３０に対して無線充電するために、電磁信号を送信するために用いられる。いくつかの実施形態では、無線送信回路２２１は、無線送信駆動回路と、送信コイル又は送信アンテナ（図示せず）と、を備えることができる。無線送信駆動回路は、高周波の交流電流を生成するために用いられる。送信コイル又は送信アンテナは、高周波の交流電流を電磁信号に変換して送信するために用いられる。
【００３５】
第一通信制御回路２２２は、無線充電中に被充電機器２３０と無線通信を行うために用いられる。具体的には、第一通信制御回路２２２は被充電機器２３０の第二通信制御回路２３５と通信することができる。本発明の実施形態は、第一通信制御回路２２２と第二通信制御回路２３５との間の通信方式及び第一通信制御回路２２２と第二通信制御回路２３５との間で送受信される通信情報に対して具体的に限定されなく、これについて、以下、具体的な実施形態と結合して詳細に説明する。
【００３６】
被充電機器２３０は、無線受信回路と２３１、バッテリ２３２と、第一充電チャンネル２３３と、検出回路２３４と、第二通信制御回路２３５と、を備えることができる。第二通信制御回路２３５の制御機能は、例えば、マイクロ制御ユニット（ｍｉｃｒｏ  ｃｏｎｔｒｏｌ  ｕｎｉｔ，ＭＣＵ）によって実現することができ、又はＭＣＵと被充電機器内のアプリケーションプロセッサ（ａｐｐｌｉｃａｔｉｏｎ  ｐｒｏｃｅｓｓｏｒ，ＡＰ）によって共同に実現することができる。
【００３７】
無線受信回路２３１は、電磁信号を受信し、且つ電磁信号を無線受信回路２３１の出力電圧及び出力電流に変換するために用いられる。具体的には、無線受信回路２３１は、受信コイル又は受信アンテナ（図示せず）と、受信コイル及び受信アンテナに接続された整流回路及び/又はフィルタリング回路などのような整形回路と、を備えることができる。受信アンテナ又は受信コイルは、電磁信号を交流電流に変換するために用いられる。整形回路は、交流電流を無線受信回路２３１の出力電圧及び出力電流に変換するために用いられる。
【００３８】
説明しなければならないことは、本発明の実施形態は、整形回路の具体的な形式、及び整形回路が整形した後の無線受信回路２３１の出力電圧及び出力電流の形式を具体的に限定しない。
【００３９】
いくつかの実施形態では、整形回路は整流回路及びフィルタリング回路を備えることができる。無線受信回路２３１の出力電圧は、フィルタリング後の安定な電圧であることができる。他の実施形態では、整形回路は整流回路を備えることができる。無線受信回路２３１の出力電圧は、整流後の脈動波形電圧であることができる。脈動波形電圧は、被充電機器２３０のバッテリ２３２の両端に直接に印加されてバッテリ２３２を充電することができる。無線受信回路２３１の出力電圧を脈動波形電圧に調整する方式は様々であり、例えば、無線受信回路２３１内のフィルタリング回路を省略し、ただ整流回路のみを保留することができる。
【００４０】
無線受信回路２３１の出力電流は間欠的にバッテリ２３２を充電することができると理解されるべきである。無線受信回路２３１の出力電流の周期は、無線充電システム２００に入力される交流電流、例えば、交流電力網の周波数によって変化することができる。例えば、無線受信回路２３１の出力電流の周期に対応する周波数は、電力網の周波数の整数倍又は逆数倍である。また、無線受信回路２３１の出力電流は間欠的にバッテリー２３２を充電する場合、無線受信回路２３１の出力電流に対応する電流波形は、電力網に同期した１つのパルス又は１つのパルス群から構成されることができる。従来の一定の直流電流（ＤＣ）と比較して、大きさが周期的に変化する脈動電圧又は脈動電流は、リチウムバッテリのリチウム析出を減少して、バッテリの寿命を延ばすことができる。加えて、バッテリの分極効果を低減し、充電速度を速め、電池の発熱を減少して、被充電機器が充電される時の安全性及び信頼性を確保することに有益である。
【００４１】
第一充電チャンネル２３３には降圧回路２３９が設置されている。降圧回路２３９は、無線受信回路２３１の出力電圧を受信し且つ無線受信回路２３１の出力電圧に対して降圧処理を行って、第一充電チャンネル２３３の出力電圧及び出力電流を獲得し、第一充電チャンネル２３３の出力電圧及び出力電流に基づいてバッテリ２３２を充電するために用いられる。
【００４２】
降圧回路２３９は様々な実現形式がある。一例として、降圧回路２３９はＢｕｃｋ回路であることができる。他の例として、降圧回路２３９はチャージポンプ（ｃｈａｒｇｅ ｐｕｍｐ）であることができる。チャージポンプは複数のスイッチング素子から構成され、スイッチング素子に電流が流れて発生する熱は非常に小さく、電流が直接に配線に流れることとほぼ同等であるので、チャージポンプを降圧回路として使用する場合、降圧効果を達成することができるだけではなく、発熱も少ない。
【００４３】
検出回路２３４は、第一充電チャンネル２３３の電圧及び/又は電流を検出するために用いられる。第一充電チャンネル２３３の電圧及び/又は電流は、無線受信回路２３１と降圧回路２３９との間の電圧及び/又は電流を指すことができ、即ち無線受信回路２３１の出力電圧及び/又は出力電流である。又は、第一充電チャンネル２３３の電圧及び/又は電流は、降圧回路２３９とバッテリ２３２との間の電圧及び/又は電流を指すこともでき、即ち第一充電チャンネル２３３の出力電圧及び/又は出力電流である（本実施形態において、第一充電チャンネル２３３の出力電圧及び/又は出力電流は、バッテリ２３２の出力電圧及び/又は出力電流である）。
【００４４】
いくつかの実施形態では、検出回路２３４は電圧検出回路及び電流検出回路を含むことができる。電圧検出回路は、第一充電チャンネル２３３の電圧をサンプリングし、サンプリングされた電圧値を第二通信制御回路２３５に送信するために用いられる。いくつかの実施形態では、電圧検出回路は、直列分圧方式で第一充電チャンネル２３３の電圧をサンプリングすることができる。電流検出回路は、第一充電チャンネル２３３の電流をサンプリングし、サンプリングされた電流値を第二通信制御回路２３５に送信するために用いられる。いくつかの実施形態では、電流検知回路は、電流検出抵抗と電流検出器によって第一充電チャンネル２３３の電流をサンプリングすることができる。
【００４５】
第二通信制御回路２３５は、無線送信回路２２１の送信電力がバッテリ２３２の現在要求している充電電圧及び/又は充電電流と一致するように、検出回路２３４によって検出された第一充電チャンネル２３３の電圧及び/又は電流に応じて第一通信制御回路２２２と無線通信を行って、第一通信制御回路２２２によって無線送信回路２２１の送信電力を調整するために用いられる。
【００４６】
無線送信回路２２１の送信電力がバッテリ２３２の現在要求している充電電圧及び/又は充電電流と一致することは、第二通信制御回路２３５は電磁信号の送信電力を設定して、第一充電チャンネル２３３の出力電圧及び/又は出力電流がバッテリ２３２の現在要求している充電電圧及び/又は充電電流と一致する（又は、第二通信制御回路２３５は電磁信号の送信電力を設定して、第一充電チャンネル２３３の出力電圧及び/又は出力電流がバッテリ２３２の充電需要（バッテリ２３２の充電電圧及び/又は充電電流に対する需要を含む）を満たす））ことを意味する。
【００４７】
換言すると、第二通信制御回路２３５は、第一充電チャンネル２３３の出力電圧及び/又は出力電流がトリクル充電段階、定電圧充電段階、定電流充電段階のうちの少なくとも１つの段階におけるバッテリ２３２の充電要求を満たすように、検出回路２３４によって検出された第一充電チャンネル２３３の電圧及び/又は電流に応じて第一通信制御回路２２２と無線通信を行って、第一通信制御回路２２２が無線送信回路２２１の送信電力を調整するようにするために用いられる。
【００４８】
換言すると、第二通信制御回路２３５は、バッテリ２３２の充電過程に対して定電圧及び/又は定電流制御を行うように、検出回路２３４によって検出された第一充電チャンネル２３３の電圧及び/又は電流に応じて第一通信制御回路２２２と無線通信を行って、第一通信制御回路２２２が無線送信回路２２１の送信電力を調整するようにするために用いられる。
【００４９】
バッテリの充電過程は、トリクル充電段階、定電圧充電段階及び定電流充電段階のうちの少なくとも１つを備えることができる。
【００５０】
第二通信制御回路２３５は、検出回路２３４によって検出された第一充電チャンネル２３３の電圧及び/又は電流に応じて第一通信制御回路２２２と無線通信を行って、第一通信制御回路２２２が第一充電チャンネル２３３の電圧及び/又は電流に応じて無線送信回路２２１の送信電力を調整するようにすることは、バッテリ２３２のトリクル充電段階において、第一充電チャンネル２３３の出力電流がトリクル充電段階に対応する充電電流と一致する（又は第一充電チャンネル２３３の出力電流がトリクル充電段階におけるバッテリ２３３の充電電流に対する要求を満たす）ように、第二通信制御回路２３５は、検出回路２３４によって検出されたた第一充電チャンネル２３３の電圧及び/又は電流に応じて第一通信制御回路２２２と無線通信を行って、第一通信制御回路２２２が無線送信回路２２１の送信電力を調整するようにすることを備える。
【００５１】
トリクル充電段階に対応する充電電流は１Ａであることを例として説明する。バッテリ２３２がトリクル充電段階にあるとき、検出回路２３４によって無線受信回路２３１の出力電流をリアルタイムに検出することができる。無線受信回路２３１の出力電流が１Ａより大きい場合、第一通信制御回路２２２によって無線送信回路２２１の送信電力を調整して、第一充電チャンネル２３３の出力電流が再び１Ａに戻るように、第二通信制御回路２３５は第一通信制御回路２２２と通信することができる。  
【００５２】
第二通信制御回路２３５は、検出回路２３４によって検出された第一充電チャンネル２３３の電圧及び/又は電流に応じて第一通信制御回路２２２と無線通信を行って、第一通信制御回路２２２が第一充電チャンネル２３３の電圧及び/又は電流に応じて無線送信回路２２１の送信電力を調整するようにすることは、バッテリ２３２の定電圧充電段階において、第一充電チャンネル２３３の出力電圧が定電圧充電段階に対応する充電電圧と一致する（又は第一充電チャンネル２３３の出力電圧が定電圧充電段階におけるバッテリ２３３の充電電圧に対する要求を満たす）ように、第二通信制御回路２３５は、検出回路２３４によって検出された第一充電チャンネル２３３の電圧及び/又は電流に応じて第一通信制御回路２２２と無線通信を行って、第一通信制御回路２２２が無線送信回路２２１の送信電力を調整するようにすることを備える。
【００５３】
定電圧充電段階に対応する充電電圧は５Ｖであることを例として説明する。バッテリ２３２が定電圧充電段階にあるとき、検出回路２３４によって第一充電チャンネル２３３の出力電圧をリアルタイムに検出することができる。第一充電チャンネル２３３の出力電圧が５Ｖより低いとき、第一通信制御回路２２２によって無線送信回路２２１の送信電力を調整して、第一充電チャンネル２３３の出力電圧が再び５Ｖに戻るように、第二通信制御回路２３５は第一通信制御回路２２２と通信することができる。第一充電チャンネル２３３の出力電圧が変動する理由は多様であり、本発明の実施例はこれに対して具体的に限定しない。例えば、無線送信回路２２１と無線受信回路２３１との間の電磁信号の伝送が阻害されてエネルギー変換効率が低下するので、第一充電チャンネル２３３の出力電圧が５Ｖより低くなる。
【００５４】
第二通信制御回路２３５は、検出回路２３４によって検出された第一充電チャンネル２３３の電圧及び/又は電流に応じて第一通信制御回路２２２と無線通信を行って、第一通信制御回路２２２が第一充電チャンネル２３３の電圧及び/又は電流に応じて無線送信回路２２１の送信電力を調整するようにすることは、バッテリ２３２の定電流充電段階において、第一充電チャンネル２３３の出力電流が定電流充電段階に対応する充電電流と一致する（又は第一充電チャンネル２３３の出力電流が定電流充電段階におけるバッテリ２３３の充電電流に対する要求を満たす）ように、第二通信制御回路２３５は、検出回路２３４によって検出された第一充電チャンネル２３３の電圧及び/又は電流に応じて第一通信制御回路２２２と無線通信を行って、第一通信制御回路２２２が無線送信回路２２１の送信電力を調整するようにすることを備える。
【００５５】
定電流充電段階に対応する充電電流は２Ａであることを例として説明する。バッテリ２３２が定電流充電段階にあるとき、検出回路２３４によって第一充電チャンネル２３３の出力電流をリアルタイムに検出することができる。第一充電チャンネル２３３の出力電流が２Ａより低いとき、第一通信制御回路２２２によって無線送信回路２２１の送信電力を調整して、第一充電チャンネル２３３の出力電流が再び２Ａに戻るように、第二通信制御回路２３５は第一通信制御回路２２２と通信することができる。第一充電チャンネル２３３の出力電流が変動する理由は多様であり、本発明の実施例はこれに対して具体的に限定しない。例えば、無線送信回路２２１と無線受信回路２３１との間の電磁信号の伝送が阻害されてエネルギー変換効率が低下するので、無線受信回路２３１の出力電流が２Ａより低くなる。
【００５６】
本発明の実施例で言及される定電流充電段階又は定電流段階は、充電電流が完全に一定のままであることを必要とせず、例えば、充電電流のピーク値又は平均値は一定期間内で一定のままであることを指す。実際には、定電流充電段階では、一般的に多段定電流充電方法で充電する。
【００５７】
多段定電流充電（Ｍｕｌｔｉ-ｓｔａｇｅ  ｃｏｎｓｔａｎｔ  ｃｕｒｒｅｎｔ  ｃｈａｒｇｉｎｇ）は、Ｎ個（Ｎは２以上の整数である）の定電流段階を有することができる。多段階定電流充電は、所定の充電電流で第一段階充電を始まる。多段階定電流充電のＮ個の定電流段階は、第一段階から第Ｎ段階まで順次に実行される。定電流段階の中の前の定電流段階から次の定電流段階に移行すると、脈動波形の電流ピーク値又は平均値は小さくなることができる。バッテリ電圧が充電終止電圧閾値に達すると、定電流段階の中の前の定電流段階は次の定電流段階に移行する。隣接する２つの定電流段階の間の電流変換過程は、漸進的な変化であるか、又は、段階状の跳躍的な変化であってもよい。
【００５８】
本発明の実施形態において、被充電機器は端末であることができる。この「端末」は、有線回線によって接続される装置及び/又は無線インタフェースを介して通信信号を受信/送信する装置であることができるが、それに限定されるものではない。有線回線は、例えば、公衆交換電話網（ｐｕｂｌｉｃ ｓｗｉｔｃｈｅｄ ｔｅｌｅｐｈｏｎｅ ｎｅｔｗｏｒｋ, ＰＳＴＮ）、デジタル加入者線（ｄｉｇｉｔａｌ ｓｕｂｓｃｒｉｂｅｒ ｌｉｎｅ, ＤＳＬ）、デジタルケーブル、直接接続ケーブル、及び/又は他のデータ接続ライン又はネットワーク接続ラインであることができる。無線インターフェースは、例えば、セルラーネットワーク、無線ローカルエリアネットワーク（ｗｉｒｅｌｅｓｓ ｌｏｃａｌ ａｒｅａ ｎｅｔｗｏｒｋ，ＷＬＡＮ）、デジタルビデオ放送ハンドヘルド（ｄｉｇｉｔａｌ ｖｉｄｅｏ ｂｒｏａｄｃａｓｔｉｎｇ ｈａｎｄｈｅｌｄ，ＤＶＢ-Ｈ）ネットワークのようなデジタルテレビネットワーク、衛星ネットワーク、振幅変調周波数変調（ａｍｐｌｉｔｕｄｅ ｍｏｄｕｌａｔｉｏｎ-ｆｒｅｑｕｅｎｃｙ ｍｏｄｕｌａｔｉｏｎ, ＡＭ−ＦＭ）放送送信機、及び/又は他の通信端末と通信することであることができる。無線インタフェースを介して通信するように構成された端末は、「無線通信端末」、「無線端末」、及び/又は「移動端末」と呼ぶことができる。移動端末の例としては、衛星又はセルラー電話、パーソナル通信システム（ｐｅｒｓｏｎａｌ ｃｏｍｍｕｎｉｃａｔｉｏｎ ｓｙｓｔｅｍ，ＰＣＳ）端末（セルラー無線電話とデータ処理、ファックス及びデータ通信能力を組み合わせることができる）、パーソナルデジタルアシスタント（Ｐｅｒｓｏｎａ  Ｄｉｇｉｔａｌ Ａｓｓｉｓｔａｎｔ, ＰＤＡ）（無線電話（ｒａｄｉｏ ｔｅｌｅｐｈｏｎｅ）、ページャ（ｐａｇｅｒ）、インターネット/イントラネットアクセス（Ｉｎｔｅｒｎｅｔ/Ｉｎｔｒａｎｅｔ ａｃｃｅｓｓ）、ウェブブラウジング（ｗｅｂ ｂｒｏｗｓｉｎｇ）、ノートブック（ｎｏｔｅｂｏｏｋ）、カレンダー（ｃａｌｅｎｄａｒ）及び/又は全地球測位システム（ｇｌｏｂａｌ ｐｏｓｉｔｉｏｎｉｎｇ ｓｙｓｔｅｍ, ＧＰＳ）受信機を備えることができる）及び/又は通常のラップトップ型又はハンドヘルド受信機、又は無線電話機能を備えた他の電子デバイスを備えるが、それに限定されるものではない。また、本発明の実施形態において、被充電機器又は端末は、パワーバンク（ｐｏｗｅｒ ｂａｎｋ）を備えることができる。このパワーバンクは、無線充電装置によって充電されることができ、従って他の電子装置に電力を供給するためにエネルギーを蓄積することができる。
【００５９】
本発明の実施例は、無線充電装置２２０と被充電機器２３０との間の通信方式及び通信順序に対して具体的に限定しない。
【００６０】
選択的に、いくつかの実施形態では、無線充電装置２２０と被充電機器２３０（又は第二通信制御回路２３５と第一通信制御回路２２２）との間の無線通信は一方向無線通信であることができる。
【００６１】
例えば、バッテリ２３２の無線充電過程において、被充電機器２３０が通信の開始者であり、無線充電装置２２０が通信の受信者であると特定することができる。例えば、バッテリの定電流充電段階において、被充電機器２３０は検出回路２３４によってバッテリ２３２の充電電流（即ち無線受信回路２３１の出力電流）をリアルタイムに検出することができる。バッテリ２３２の充電電流がバッテリの現在要求している充電電流と一致しない場合、被充電機器２３０は無線充電装置２２０に調整情報を送信して、無線充電装置２２０に無線送信回路２２１の送信電力を調整するように指示する。
【００６２】
選択的に、いくつかの実施形態では、無線充電装置２２０と被充電機器２３０（又は第二通信制御回路２３５と第一通信制御回路２２２）との間の無線通信は双方向無線通信でることができる。双方向無線通信は、一般的に受信者が開始者によって開始された通信要求を受信した後に、受信者が開始者に応答情報を送信することを要求する。双方向通信メカニズムは通信過程をより安全にすることができる。
【００６３】
以上、本発明の実施形態に関する記載は、無線充電装置２２０（無線充電装置２２０の第一通信制御回路２２２）と被充電機器２３０（被充電機器２３０の第二通信制御回路２３５）との間の主従関係を限定しない。換言すると、無線充電装置２２０と被充電機器２３０のうちのいずれか一方はマスターデバイスとして双方向通信を開始することができ、これに対応して他方はスレーブデバイスとしてマスタデバイスによって開始された通信に対して第一応答又は第一回復を行うことができる。実現可能な方式として、通信過程において、無線充電装置２２０と被充電機器２３０との間のリンク状態を比較して、マスターデバイスとスレーブデバイスの身分を確定することができる。例えば、無線充電装置２２０が被充電機器２３０に情報を送信する無線リンクはアップリンクであり、被充電機器２３０が無線充電装置２２０に情報を送信する無線リンクはダウンリンクであると仮定し、もしアップリンクがより高品質であると、無線充電装置２２０を通信のマスターデバイスとして設置することができ、もしダウンリンクがより高品質であると、被充電機器２３０を通信のスレーブデバイスとして設置することができる。
【００６４】
本発明の実施形態は、無線充電装置２２０と被充電機器２３０との間の双方向通信の具体的な実施態様を限定しない。即ち、無線充電装置２２０と被充電機器２３０のうちのいずれか一方はマスターデバイスとして通信会話を開始すると、これに対応して他方はスレーブデバイスとしてマスタデバイスによって開始された通信会話に対して第一応答又は第一回復を行い、マスターデバイスはスレーブデバイスの第一応答又は第一回復に対して第二応答を行うことができ、即ちマスターデバイスとスレーブデバイスとの間で１つの通信ネゴシエーション処理が完了したものと見なすことができる。
【００６５】
マスターデバイスは、通信会話に対するスレーブデバイスの第一応答又は第一回復に基づいて、第二応答を以下のように行うことができる。マスターデバイスは、通信会話に対するスレーブデバイスの第一応答又は第一回復を受信してから、受信したスレーブデバイスの第一応答又は第一回復に基づいて専門の第二応答を行うことができる。
【００６６】
マスターデバイスは、通信会話に対するスレーブデバイスの第一応答又は第一回復に基づいて、第二応答を以下のように行うことができる。マスターデバイスは、予め設定された時間内に通信会話に対するスレーブデバイスの第一応答又は第一回復を受信しなかったとしても、依然としてスレーブデバイスの第一応答又は第一回復に対して専門の第二応答を行う。
【００６７】
選択的に、いくつかの実施形態において、被充電機器２３０がマスタデバイスとして通信会話を開始し、無線充電装置２２０がスレーブデバイスとしてマスタデバイスによって開始された通信会話に対して第一応答又は第一回復を行う場合、被充電機器２３０は無線充電装置２２０の第一応答又は第一回復に対して第二応答を行う必要はなく、即ち無線充電装置２２０と被充電機器２３０との間で１つの通信ネゴシエーション処理が完了したものと見なすことができる。
【００６８】
本発明の実施形態は、無線充電装置２２０の第一通信制御回路２２２と被充電機器２３０の第二通信制御回路２３５との間の無線通信方式に対して具体的に限定しない。例えば、第一通信制御回路２２２と第二通信制御回路２３５は、ブルートゥース（ｂｌｕｅｔｏｏｔｈ）、無線忠実度（ｗｉｒｅｌｅｓｓ  ｆｉｄｅｌｉｔｙ，Ｗｉ − Ｆｉ）、又は後方散乱（ｂａｃｋｓｃａｔｔｅｒ）変調（又は電力負荷変調）に基づいて互いに無線通信を行うことができる。
【００６９】
上述したように、無線充電過程において、第一通信制御回路２２２によって無線送信回路２２１の送信電力を調整するように、第二通信制御回路２３５は、検出回路２３４によって検出された第一充電チャンネル２３３の電圧及び/又は電流に基づいて、第一通信制御回路２２２と無線通信することができる。しかしながら、本発明の実施形態は第二通信制御回路２３５と第一通信制御回路２２２との間で伝送される通信内容に対して具体的に限定しない。
【００７０】
一実施形態において、第二通信制御回路２３５は、検出回路２３４によって検出された第一充電チャンネル２３３の出力電圧及び/又は出力電流を第一通信制御回路２２２に送信することができる。第二通信制御回路２３５は、さらにバッテリの状態情報を第一通信制御回路２２２に送信することができる。バッテリの状態情報は、被充電機器２３０内のバッテリ２３２の現在の電力及び/又は現在の電圧を含む。第一通信制御回路２２２は、先ずバッテリ２３２の状態情報に基づいてバッテリ２３２の現在の充電段階を確定してから、さらにバッテリ２３２の現在要求している充電電圧及び/又は充電電流と一致する目標充電電圧及び/又は目標充電電流を確定することができる。次に、第一通信制御回路２２２は、第二通信制御回路２３５から送信された第一充電チャンネル２３３の出力電圧及び/又は出力電流を上述した目標充電電圧及び/又は目標充電電流と比較して、第一充電チャンネル２３３の出力電圧及び/又は出力電流がバッテリ２３２の現在要求している充電電圧及び/又は充電電流と一致するか否かを判定する。第一充電チャンネル２３３の出力電圧及び/又は出力電流がバッテリ２３２の現在要求している充電電圧及び/又は充電電流と一致しない場合、第一充電チャンネル２３３の出力電圧及び/又は出力電流がバッテリ２３２の現在要求している充電電圧及び/又は充電電流と一致するまで、無線通信回路２２１の送信電力を調整する。
【００７１】
他の実施形態において、無線送信回路２２１の送信電力を調整するように第一通信制御回路２２２に指示するために、第二通信制御回路２３５は第一通信制御回路２２２に調整情報を送信することができる。例えば、第二通信制御回路２３５は、無線送信回路２２１の送信電力を上げるように第一通信制御回路２２２に指示することができる。別の例では、第二通信制御回路２３５は、無線送信回路２２１の送信電力を下げるように第一通信制御回路２２２に指示することができる。さらに具体的には、無線充電装置２２０は、無線送信回路２２１の送信電力を複数のギアに設置することができる。第一充電チャンネル２３３の出力電圧及び/又は出力電流がバッテリ２３２の現在要求している充電電圧及び/又は充電電流と一致するまで、第一通信制御回路２２２は、調整情報を受信するたびに、無線送信回路２２１の送信電力を１ギア調整する。
【００７２】
上述した通信内容の他に、第一通信制御回路２２２及び第二通信制御回路２３５は、多い他の通信情報を交換することもできる。いくつかの実施形態では、第一通信制御回路２２２及び第二通信制御回路２３５は、安全保護、異常検出、又は故障処理に使用される情報を交換することができ、例えば、バッテリ２３２の温度情報、過電圧保護又は過電流保護を指示する情報、電力伝送効率情報（無線送信回路２２１と無線受信回路２３１との間の電力伝送効率を示すために用いられる情報）である。
【００７３】
例えば、バッテリー２３２の温度が高い過ぎる場合、第一通信制御回路２２２及び/又は第二通信制御回路２３５は充電回路が保護状態に入るように制御することができ、例えば、充電回路を制御して無線充電を停止する。別の例では、第一通信制御回路２２２は、第二通信制御回路２３５から送信された過電圧保護又は過電流保護を示す情報を受信してから、無線送信回路２２１の送信電力を低減するか又は無線送信回路２２１が作動を停止するように制御することができる。さらに別の例では、第一通信制御回路２２２は第二通信制御回路２３５から送信された電力伝送効率情報を受信してから、もし電力伝送効率情報が予め設定された閾値より低い場合、無線送信回路２２１が作動を停止するように制御し、ユーザーにこの事件を通知することができ、例えば、ディスプレイスクリーンによって電力伝送効率情報が低過ぎると表示するか、又は指示ランプによって電力伝送効率情報が低過ぎると指示して、ユーザーが無線充電環境を調整するようにする。
【００７４】
いくつかの実施形態では、第一通信制御回路２２２及び第二通信制御回路２３５は、無線送信回路２２１の送信電力を調整するために用いられる他の情報を交換することができる。例えば、バッテリ２３２の温度情報、第一充電チャンネル２３３の電圧及び/又は電流のピーク値又は平均値を示す情報、電力伝送効率情報（無線送信回路２２１と無線受信回路２３１との間の電力伝送効率を示すために用いられる情報）である。
【００７５】
例えば、第二通信制御回路２３５は第一通信制御回路２２２に電力伝送効率情報を送信することができる。第一通信制御回路２２２は、電力伝送効率情報に基づいて、無線送信回路２２１の送信電力の調整幅を確定するために用いられる。具体的には、電力伝送効率情報が無線送信回路２２１と無線受信回路２３１との間の電力伝送効率が低いと指示する場合、第一通信制御回路２２２は無線送信回路２２１の送信電力の調整幅を上げることができ、無線送信回路２２１の送信電力が速やかに目標電力に到達することにする。
【００７６】
例えば、無線受信回路２３１の出力電圧及び/又は出力電流が脈動波形電圧及び/又は脈動波形電流である場合、第二通信制御回路２３５は第一通信制御回路２２２に第一充電チャンネル２３３の出力電圧及び/又は出力電流のピーク値又は平均値を示す情報を送信することができ、第一通信制御回路２２２は第一充電チャンネル２３３の出力電圧及び/又は出力電流のピーク値又は平均値がバッテリの現在要求している充電電圧及び/又は充電電流と一致するかどうかを判定することができる。第一充電チャンネル２３３の出力電圧及び/又は出力電流のピーク値又は平均値がバッテリの現在要求している充電電圧及び/又は充電電流と一致しない場合、第一通信制御回路２２２は無線送信回路２２１の送信電力を調整することができる。    
【００７７】
例えば、第二通信制御回路２３５は第一通信制御回路２２２にバッテリー２３２の温度情報を送信することができる。バッテリー２３２の温度が高い過ぎる場合、第一通信制御回路２２２は無線送信回路２２１の送信電力を下げて、無線受信回路２３１の出力電流を低減することにより、バッテリ２３２の温度を低減することができる。
【００７８】
本発明の実施形態によって提供される被充電機器２３０内のバッテリ２３２は単一セルを含むことができ、互いに直列に接続されたＮ個のセルを含むこともできる（Ｎは１より大きい正整数である）。一例として、Ｎ＝２であり、図３に示されたように、バッテリ２３２はセル２３２ａとセル２３２ｂを含み、セル２３２ａとセル２３２ｂは互いに直列に接続される。充電電力は２０Ｗに等しく、単一セルの充電電圧は５Ｖに等しいことを例として説明する。直列に接続された２つのセルの充電電圧に対する要求を満たすために、第一充電チャンネル２３３の出力電圧／出力電流を１０Ｖ／２Ａに維持することを必要とする。このように、無線送信回路は１０Ｖ／２Ａに基づいて電磁信号を生成し、無線受信回路は電磁信号を１０Ｖ／２Ａの出力電圧／出力電流に変換し、電流は４Ａから２Ａに減少されるので、電力送信過程で発生する熱もそれに応じて減少される。図３はＮ＝２を例として説明し、実は、Ｎの値は３でもよく、３以上の正整数でもよい。互いに直列に接続されたセルが多ければ多いほど、電気エネルギーが無線送信回路２２１及び無線受信回路２３１を通過して発生する熱の量は少ない。
【００７９】
説明しなければならないことは、図２及び図３に示される実施形態は、独立に実施されることができ、又は互いに組み合わせて実施されることもできる。選択的に、いくつかの実施形態では、被充電機器は図２に示された降圧回路２３９を備え、且つ被充電機器のバッテリ２３２は互いに直列に接続されたＮ個のセルを含む（Ｎは１より大きい正整数である）。依然として、充電電力は２０Ｗに等しく、単一セルの充電電圧は５Ｖに等しいことを例として説明する。直列に接続された２つのセルの充電電圧に対する要求を満たすために、降圧回路２３９の出力電圧／出力電流を１０Ｖ／２Ａに維持することを必要とする。降圧回路２３９が半電圧回路であると仮定すると、降圧前の電圧は２０Ｖ／１Ａである。このように、無線送信回路は２０Ｖ／１Ａに基づいて電磁信号を生成し、対応して、無線受信回路は電磁信号を２０Ｖ／１Ａの出力電圧／出力電流に変換し、電流は４Ａから１Ａに減少されるので、電力送信過程で発生する熱をさらに減少させる。
【００８０】
上述したように、本発明の実施形態によって提供される無線充電装置２２０は充電過程で無線送信回路２２１の送信電力を連続的に調整することができるので、第一充電チャンネル２３３の出力電圧及び／又は出力電流がバッテリ２３２の現在要求している充電電圧及び/又は充電電流と一致するようにする。本発明の実施形態は、無線送信回路２２１の送信電力調整方式を具体的に限定しない。例えば、第一通信制御回路２２２は電源装置２１０と通信して、電源装置２１０の出力電圧及び／又は出力電流を調整することにより、無線送信回路２２１の送信電力を調整することができる。他の例として、第一通信制御回路２２２は無線送信回路２２１が電源装置２１０の最大出力電力から取り出す電力量を調整することができ、従って無線送信回路２２１の送信電力を調整する。他の例として、無線充電装置２２０は交流（例えば、２２０Ｖ交流）を直接に受信することができ、第一通信制御回路２２２は、第二通信制御回路２３５のフィードバックに基づいて、交流を直接に必要な電圧及び／又は電流に変換することができる。以下、図４〜図６を参照して、無線送信回路２２１の送信電力の調整方式を詳細に説明する。
【００８１】
図４は、無線送信回路２２１の送信電力調整方式の一例である。図４を参照すると、無線充電装置２２０は充電インターフェース２２３をさらに備えることができる。充電インターフェース２２３は、外部の電源装置２１０に接続するために用いられる。無線送信回路２２１は、電源装置２１０の出力電圧及び出力電流に応じて電磁信号を生成するためにも用いられる。第一通信制御回路２２２は、電源装置２１０と通信して電源装置２１０の最大出力電力を交渉し、無線充電中に、無線送信回路２２１が最大出力電力から取り出す電力量を調整することにより、無線送信回路２２１の送信電力を調整する。
【００８２】
本発明の実施形態において、第一通信制御回路２２２は出力電力が調整可能である電源装置２１０と通信して、電源装置２１０の最大出力電力を交渉する。交渉が完了した後、電源装置２１０は最大出力電力で無線充電装置２２０に出力電圧及び出力電流を供給することができる。充電中に、第一通信制御回路２２２は実際の需要によって最大出力電力から一定量の電力を取り出して無線充電に用いる。即ち、本発明の実施形態において、第一通信制御回路２２２は無線送信回路２２１の送信電力を調整する制御権利を有する。第一通信制御回路２２２は、被充電機器２３０のフィードバック情報を受信した後、すぐ無線送信回路２２１の送信電力を調整することができ、調整速度が速く、効率が高いという利点がある。
【００８３】
本発明の実施形態は、第一通信制御回路２２２が電源装置２１０の最大出力電力から電力量を取り出す方式を具体的に限定しない。例えば、無線充電装置２２０の内部に電圧変換回路（例えば、電力調整回路である）を設置することができ、電圧変換回路は送信コイル又は送信アンテナに接続されて、送信コイル又は送信アンテナが受信する電力を調整するために用いられる。電圧変換回路は、例えば、パルス幅変調（ｐｕｌｓｅ  ｗｉｄｔｈ  ｍｏｄｕｌａｔｉｏｎ，ＰＷＭ）コントローラ及びスイッチユニットを備えることができる。第一通信制御回路２２２は、ＰＷＭコントローラから送信される制御信号のデューティサイクルを調整することによって、及び/又はスイッチユニットのスイッチ周波数を制御することによって、無線送信回路２２１の送信電力を調整することができる。
【００８４】
図４に示された実施形態において、代替案として、電源装置２１０は、より高い一定の電力（例えば４０Ｗ）を直接に出力することもできる。これにより、第一通信制御回路２２２は電源装置２１０とその最大出力電力を交渉することを必要としなく、直接に無線送信回路２２１が電源装置２１０の一定の出力電力から取り出す電力量を調整すればよい。
【００８５】
本発明は電源装置２１０の種類に対して具体的に限定しない。例えば、電源装置２１０は、アダプタ、電源バンク（ｐｏｗｅｒ  ｂａｎｋ）、自動車用充電器又はコンピュータなどの装置であることができる。
【００８６】
本発明は充電インターフェース２２３の種類に対して具体的に限定しない。選択的に、いくつかの実施形態では、充電インターフェース２２３はＵＳＢインターフェースであることができる。ＵＳＢインターフェースは、例えば、ＵＳＢ２．０インターフェース、マイクロＵＳＢインターフェース、又はＵＳＢ ＴＹＰＥ−Ｃインターフェースであることができる。選択的に、他のいくつかの実施形態では、充電インターフェース２２３はｌｉｇｈｔｎｉｎｇインターフェース、又は他のいかなるタイプの充電用パラレルインターフェース及び/又はシリアルインターフェースであることができる。
【００８７】
本発明の実施形態は第一通信制御回路２２２と電源装置２１０との間の通信方式に対して具体的に制限しない。一実施形態において、第一通信制御回路２２２は、充電インターフェース以外の別の通信インターフェースによって電源装置２１０に接続され、且つこの通信インターフェースによって電源装置２１０と通信することができる。他の実施形態において、第一通信制御回路２２２は、無線方式で電源装置２１０と通信することができる。例えば、第一通信制御回路２２２は電源装置２１０と近距離無線通信（ｎｅａｒ  ｆｉｅｌｄ  ｃｏｍｍｕｎｉｃａｔｉｏｎ，ＮＦＣ）を行うことができる。さらに別の実施形態において、第一通信制御回路２２２は充電インタフェース２２３によって電源装置２１０と通信することができ、追加の通信インタフェース又は他の無線通信モジュールを設置することを必要としなく、無線充電装置２２０の実装を簡素化することができる。例えば、充電インタフェース２２３はＵＳＢインタフェースであり、第一通信制御回路２２２はＵＳＢインターフェースのデータ線（Ｄ＋線及び/又はＤ−線など）によって電源装置２１０と通信することができる。別の例において、充電インターフェース２２３は、電力供給（ｐｏｗｅｒ  ｄｅｌｉｖｅｒｙ，ＰＤ）通信プロトコルを支持するＵＳＢインターフェース（ＵＳＢ ＴＹＰＥ−Ｃインターフェースなど）であることができる。第一通信制御回路２２２はＰＤ通信プロトコルに基づいて電源装置２１０と通信することができる。
【００８８】
本願は、電源装置２１０が出力電力を調整する方式に対して具体的に限定しない。例えば、電源装置２１０の内部に電圧フィードバックループ及び電流フィードバックループを設置することができ、従って実際に需要によって出力電圧及び/又は出力電流を調整することができる。
【００８９】
図５は、本発明の実施形態が提供する無線送信回路２２１の送信電力調整方式の他の例を示す。図４と異なり、図５に対応する実施形態は、電源装置２１０の最大出力電力を制御することを意図しなく、電源装置２１０の出力電力を比較的正確に制御することを意図し、電源装置２１０の出力電力が現在の電力需要を直接に満たすようにする。さらに、図４の実施形態と異なり、図５の実施形態において、電源装置２１０は無線送信回路２２１の送信電力を調整する制御権利を有する。電源装置２１０は出力電圧及び/又は出力電流を変更することによって、無線送信回路２２１の送信電力を調整する。このような調整方式の利点は、電源装置２１０によって無線充電装置２００が必要とする量の電力を提供するので、電力の無駄が存在しない。以下、図５を参照しながら詳細に説明する。
【００９０】
図５に示されたように、本発明の実施形態が提供する無線充電装置２２０は充電インターフェース２２３及び電圧変換回路２２４をさらに備えることができる。充電インターフェース２２３は、電源装置２１０に接続するために用いられる。電圧変換回路２２４は、電源装置２１０の出力電圧を受信し、且つ電源装置２１０の出力電圧を変換して、電圧変換回路２２４の出力電圧及び出力電流を獲得するために用いられる。無線送信回路２２１は、さらに電圧変換回路２２４の出力電圧及び出力電流に基づいて電磁信号を生成するために用いられる。第一通信制御回路２２２は、さらに電源装置２１０と通信して電源装置２１０の出力電圧及び／又は出力電流を交渉するために用いられる。
【００９１】
本発明の実施形態は、高電圧低電流方式を採用してエネルギー伝送を行うが、このようなエネルギー伝送方式は無線送信回路２２１の入力電圧（例えば、１０Ｖ又はは２０Ｖである）に対する要求が高く、もし電源装置２１０の最大出力電圧が無線送信回路２２１の入力電圧要求に達することはできない場合、電圧変換回路２２４の設置は、無線送信回路２２１の入力電圧要求に達することはできない入力電圧が所望の入力電圧に達することにする。もちろん、代替案として、電源装置２１０の出力電圧が無線送信回路２２１の入力電圧要求に達することができる場合、電圧変換回路２２４を省略することもでき、従って無線充電装置２２０を簡素化することができる。
【００９２】
電圧変換回路２２４は、例えば、昇圧回路であることができる。電圧変換回路２２４の昇圧倍数と降圧回路２３９の降圧倍数は、電源装置２１０の出力電圧、バッテリ２３２が要求する充電電圧などのパラメータに係わり、両者は同じでもよく、異なってもよく、本発明の実施形態はこれに対して具体的に限定しない。
【００９３】
一例として、電圧変換回路２２４の昇圧倍数と降圧回路２３９の降圧倍数を等しく設定することができる。例えば、電圧変換回路２２４は電源装置２１０の出力電圧を２倍に昇圧するための昇圧回路であることができ、降圧回路２３９は無線受信回路２３１の出力電圧を半分にするための半電圧回路であることができる。
【００９４】
本発明の実施形態は、電圧変換回路２２４の昇圧倍数と降圧回路２３９の降圧倍数を１：１に設置することができ、このような設置方式によって、降圧回路２３９の出力電圧及び出力電流はそれぞれ電源装置２１０の出力電圧及び出力電流と同じであり、通信制御回路２２２、２３５を簡略化することに有利である。バッテリ２３２が要求する充電電流は５Ａである場合、第二通信制御回路２３５は検出回路２３４によって降圧回路２３９の出力電流が４．５Ａであることを知ると、降圧回路２３９の出力電流が５Ａに達するように、電源装置２１０の出力電力を調整する必要がある。もし電圧変換回路２２４の昇圧倍数と降圧回路２３９の降圧倍数の比が１：１ではないと、電源装置２１０の出力電力を調整する際、第一通信制御回路２２２又は第二通信制御回路２３５は降圧回路２３９の現在の出力電流と期待値との間の差に基づいて、電源装置２１０の出力電力の調整値を再び計算することを必要とする。本発明の実施形態は、電圧変換回路２２４の昇圧倍数と降圧回路２３９の降圧倍数の比を１：１に設置すると、第二通信制御回路２３５は第一通信制御回路２２２に出力電流を５Ａに増加させるように通知し、従って無線充電経路のフィードバック調整方式が簡単になる。
【００９５】
図５の実施形態において、無線充電装置２２０は、電源装置２１０の出力電圧及び/又は出力電流を調整することを必要とするか否かを主動的に確定することができる。別の実施形態において、無線充電装置２２０は電源装置２１０と被充電機器２３０との間の橋として機能することができ、２つの間で情報を転送するために用いられる。
【００９６】
例えば、無線充電過程で、第一通信制御回路２２２は被充電機器２３０と通信して、電源装置２１０の出力電圧及び/又は出力電流を調整することを必要とするか否かを確定する。電源装置２１０の出力電圧及び/又は出力電流を調整することを必要とする場合、第一通信制御回路２２２は電源装置２１０と通信して、電源装置２１０にその出力電圧及び/又は出力電流を調整するように指示する。
【００９７】
他の例として、無線充電過程で、無線充電装置２２０内の通信制御回路２２２は被充電機器２３０と無線通信して、電源装置２１０の出力電圧及び/又は出力電流を調整するように指示するために用いられる調整情報を獲得する。第一通信制御回路２２２は電源装置２１０と無線通信して、調整情報を電源装置２１０に送信し、電源装置２１０が調整情報に基づいてその出力電圧及び/又は出力電流を調整するようにする。
【００９８】
無線充電装置２２０と被充電機器２３０との間の通信方式と類似し、無線充電装置２２０（又はは第一通信制御回路２２２）と電源装置２１０との間の通信は一方向通信であることができ、双方向通信であることもでき、本発明の実施形態はこれに対して具体的に限定しないと理解されるべきである。
【００９９】
さらに、電源装置の出力電流は、一定の直流電流（ＤＣ）、脈動直流電流、又は交流電流（ＡＣ）であることができ、本発明の実施例はこれに対して具体的に限定しないと理解されるべきである。
【０１００】
図５の実施形態において、第一通信制御回路２２２は無線送信回路２２１に接続されて、無線送信回路２２１が作動を開始するように制御することができ、又は無線充電過程に異常が発生した場合、無線送信回路２２１が作動を停止するように制御することができる。 又は、いくつかの実施形態において、第一通信制御回路２２２は無線送信回路２２１に接続しなくてもよい。
【０１０１】
図６は、無線送信回路２２１の送信電力調整方式の他の例を示す。図４及び図５に示した実施形態とは異なり、図６の実施形態に対応する無線充電装置２２０は電源装置２１０から電力を取得せず、直接に外部から入力される交流電流（例えば、商用電源）を前記電磁信号に変換する。 
【０１０２】
図６に示されたように、無線充電装置２２０は、さらに電圧変換回路２２４及び電源供給回路２２５を備えることができる。電源供給回路２２５は、外部から入力される交流電流（商用電源など）を受け、この交流電流に基づいて電源供給回路２２５の出力電圧及び出力電流を生成するために用いられる。例えば、電源供給回路２２５は、交流電流に対して整流及び／又はフィルタリングして直流電流又は脈動直流電流を獲得し、且つ直流電流又は脈動直流電流を電圧変換回路２２４に伝送することができる。
【０１０３】
電圧変換回路２２４は、電源供給回路２２５の出力電圧を受け取り、且つ電源供給回路２２５の出力電圧を変換して電圧変換回路２２４の出力電圧及び出力電流を獲得するために用いられる。無線送信回路２２１は、電圧変換回路２２４の出力電圧及び出力電流に基づいて電磁信号を生成するために用いられる。
【０１０４】
本発明の実施形態は、無線充電装置２２０の内部にアダプタのような機能を統合するので、無線充電装置２２０は外部の電源装置から電力を獲得することを必要としなく、無線充電装置２２０の統合度を高め、無線充電過程に必要とする部品の数量を減少する。
【０１０５】
本発明の実施形態は、高電圧低電流方式を採用してエネルギー伝送を行うが、このようなエネルギー伝送方式は無線送信回路２２１の入力電圧（例えば、１０Ｖ又はは２０Ｖである）に対する要求が高く、もし電源供給回路２２５の最大出力電圧が無線送信回路２２１の入力電圧要求に達することはできない場合、電圧変換回路２２４の設置は、無線送信回路２２１の入力電圧要求に達することはできない入力電圧が所望の入力電圧に達することにする。もちろん、代替案として、もし電源供給回路２２５の出力電圧が無線送信回路２２１の入力電圧要求に達することができる場合、電圧変換回路２２４を省略することもでき、従って無線充電装置２２０を簡素化することができる。
【０１０６】
選択的に、いくつかの実施形態において、無線充電装置２２０は第一無線充電モード又は第二無線充電モードで動作可能である。無線充電装置２２０が第一無線充電モードで被充電機器２３０を充電する充電速度は、無線充電装置２２０が第二無線充電モードで被充電機器２３０を充電する充電速度より速い。換言すると、第二無線充電モードで動作する無線充電装置２２０と比較して、第一無線充電モードで動作する無線充電装置２２０によって被充電機器２３０内の同じ容量のバッテリを完全に充電することに必要とする時間はさらに短い。
【０１０７】
第二無線充電モードは、通常の無線充電モードと呼ばれ、例えば、ＱＩ規格、ＰＭＡ規格又はＡ４ＷＰ規格に基づく従来の無線充電モードであることができる。第一無線充電モードは急速無線充電モードであることができる。通常の無線充電モードは、無線充電装置２２０の送信電力がより小さい（通常１５Ｗ未満、送信電力はほとんど５Ｗ又は１０Ｗである）無線充電モードを指すことができる。通常の無線充電モードにおいて、大容量のバッテリ（例えば、３０００ｍＡバッテリである）を完全に充電するためには通常数時間かかる。急速無線充電モードにおいて、無線充電装置２２０の送信電力がより大きい（通常、１５Ｗ以上である）。通常の無線充電モードと比較して、急速無線充電モードにおいて、無線充電装置２２０が同じ容量のバッテリを完全に充電することに必要とする時間は大幅に短縮され、充電速度はさらに速い。
【０１０８】
選択的に、いくつかの実施形態において、第一通信制御回路２２２と第二通信制御回路２３５は双方向通信して、第一無線充電モードにおける無線充電装置２２０の送信電力を制御する。
【０１０９】
さらに、いくつかの実施形態において、第一通信制御回路２２２と第二通信制御回路２３５は双方向通信することができ、第一無線充電モードにおける無線充電装置２２０の送信電力を制御する過程は、第一通信制御回路２２２と第二通信制御回路２３５は双方向通信して、無線充電装置２２０と被充電機器２３０との間の無線充電モードを交渉することを備える。
【０１１０】
具体的には、第一通信制御回路２２２は第二通信制御回路２３５とハンドシェイク通信（ｈａｎｄｓｈａｋｅ ｃｏｍｍｕｎｉｃａｔｉｏｎ）を行うことができ、ハンドシェイク通信が成功した場合、無線充電装置２２０を制御して第一無線充電モードで被充電機器２３０を充電し、ハンドシェイク通信が失敗した場合、無線充電装置２２０を制御して第二無線充電モードで被充電機器２３０を充電する。
【０１１１】
ハンドシェイク通信は、通信両方がお互いの身分を識別することを指すことができる。ハンドシェイク通信の成功は、無線充電装置２２０及び被充電機器２３０の両方が本発明の実施形態に係わる送信電力が調整可能である無線充電方式を支持することを示す。ハンドシェイク通信の失敗は、無線充電装置２２０及び被充電機器２３０のうちの少なくとも一方が本発明の実施形態に係わる送信電力が調整可能である無線充電方式を支持しないことを示す。
【０１１２】
本発明の実施形態において、無線充電装置２２０は盲目的に第一無線充電モードで被充電機器２３０に対して急速無線充電を行わなく、被充電機器２３０と双方向通信して、無線充電装置２２０が第一無線充電モードで被充電機器２３０に対して急速無線充電を行うことができるか否かを交渉し、このようにすると充電過程の安全性を向上させることができる。
【０１１３】
具体的には、第一通信制御回路２２２と第二通信制御回路２３５は双方向通信して、無線充電装置２２０と被充電機器２３０との間の無線充電モードを交渉することは、第一通信制御回路２２２は第二通信制御回路２３５に第一指令（第一指令は、被充電機器２３０に第一充電モードをオンにするか否かを問い合わせるために用いられる）を送信すること、第一通信制御回路２２２は第二通信制御回路２３５が送信する第一指令の応答指令（応答指令は、被充電機器２３０が第一充電モードをオンにすることに同意するか否かを指示するために用いられる）を受信すること、被充電機器２３０が第一充電モードをオンにすることに同意する場合、第一通信制御回路２２２は無線充電装置２２０を制御して第一無線充電モードで被充電機器２３０を充電すること、を備える。
【０１１４】
通信交渉方式によって無線充電モードを確定することに加えて、第一通信制御回路２２２は、他の要因に基づいて無線充電モードを選択又は切り替えることができる。例えば、第一通信制御回路２２２は、バッテリ２３２の温度に基づいて、無線充電装置２２０が第一無線充電モード又は第二無線充電モードでバッテリ２３２を充電するように制御することができる。
【０１１５】
例えば、温度が予め設定された第一閾値（例えば、５℃又は１０℃である）より低い場合、第一通信制御回路２２２は、無線充電装置２２０が第二無線充電モードで通常の無線充電を行うように制御することができる。温度が第一閾値以上である場合、第一通信制御回路２２２は、無線充電装置２２０が第一無線充電モードで急速充電を行うように制御することができる。さらに、温度が高温閾値（例えば、５０℃である）より高い場合、第一通信制御回路２２２は、無線充電装置２２０が充電を停止するように制御することができる。
【０１１６】
本発明の実施形態に係わる送信電力が調整可能である無線充電方式は、バッテリ２３２の充電段階のうちの１つ又は複数の充電段階を制御するために用いられることに留意されたい。例えば、本発明の実施形態に係わる送信電力が調整可能である無線充電方法は、主にバッテリ２３２の定電流充電段階を制御するために用いられることができる。他の実施形態では、被充電機器２３０は変換回路を保留することができ、バッテリーがトリクル充電段階及び定電圧充電段階にあるとき、図１に示された従来の無線充電方法で充電することができる。具体的には、バッテリ２３２がトリクル充電段階及び定電圧充電段階にあるとき、トリクル充電段階及び定電圧充電段階の充電需要を満たすように、被充電機器２３０の変換回路は無線受信回路２３１の出力電圧及び出力電流を変換することができる。定電流充電段階と比較して、バッテリ２３２がトリクル充電段階及び定電圧充電段階で受信した充電電力はより低いので、被充電機器２３０内部の変換回路の変換効率損失及び熱蓄積は許容可能である。以下、図７を参照して詳細に説明する。
【０１１７】
図７に示されたように、被充電機器２３０は、さらに第二充電チャンネル２３６を備えることができる。第二充電チャンネル２３６に変換回路２３７を設置することができる。変換回路２３７は、無線受信回路２３１の出力電圧及び出力電流を受信し、無線受信回路２３１の出力電圧及び/又は出力電流に対して定電圧及び/又は定電流制御を行って、第二充電チャンネル２３６の出力電圧及び/又は出力電流がバッテリ２３２の現在要求している充電電圧及び/又は充電電流と一致することにして、且つ第二充電チャンネル２３６の出力電圧及び/又は出力電流に基づいてバッテリ２３２を充電する。第二通信制御回路２３５は、第一充電チャンネル２３３と第二充電チャンネル２３６との間の切り替えを制御するために用いられる。例えば、図７に示されたように、第一充電チャンネル２３３にスイッチ２３８を設置することができる。第二通信制御回路２３５は、スイッチ２３８のオン/オフ状態を制御することによって、第一充電チャンネル２３３と第二充電チャンネル２３６との間の切り替えを制御することができる。上述したように、いくつかの実施形態では、無線充電装置２２０は第一無線充電モード及び第二無線充電モードを備えることができ、無線充電装置２２０が第一無線充電モードで被充電機器２３０を充電する充電速度は、無線充電装置２２０が第二無線充電モードで被充電機器２３０を充電する充電速度より速い。無線充電装置２２０が第一無線充電モードで被充電装置２３０内のバッテリを充電するとき、被充電装置２３０は第一充電チャンネル２３３の動作を制御することができる。無線充電装置２２０が第二無線充電モードで被充電装置２３０内のバッテリを充電するとき、被充電装置２３０は第二充電チャンネル２３３の動作を制御することができる。
【０１１８】
例えば、バッテリ２３２がトリクル充電段階及び/又は定電圧充電段階にあるとき、第二通信制御回路２３５は第二充電チャンネル２３６を介してバッテリ２３２を充電するように制御することができる。バッテリの定電圧定電流過程は、変換回路２３７（例えば、充電ＩＣである）によって制御することができる。バッテリ２３２が定電流充電段階にあるとき、第二通信制御回路２３５は第一充電チャンネル２３３を介してバッテリ２３２を充電するように制御することができる。バッテリの定電流制御は、無線充電装置が送信電力を調整することによって実現することができる。変換回路２３７を保留すると、従来の無線充電方式を兼備することができる。
【０１１９】
第一充電チャンネル２３３又は第二充電チャンネル２３６を選択する方法は様々であり、バッテリ２３２の現在の充電段階に応じて選択することに限定されないことに留意されたい。
【０１２０】
選択的に、いくつかの実施形態において、第二通信制御回路２３５はさらに第一通信制御回路２２２とハンドシェイク通信を行うために用いられ、ハンドシェイク通信が成功した場合、第一充電チャンネル２３３が作動するように制御し、ハンドシェイク通信が失敗した場合、第二充電チャンネル２３６が作動するように制御する。
【０１２１】
ハンドシェイク通信は、通信両方がお互いの身分を識別することを指すことができる。ハンドシェイク通信の成功は、無線充電装置２２０及び被充電機器２３０の両方が本発明の実施形態に係わる送信電力が調整可能である無線充電方式を支持することを示す。ハンドシェイク通信の失敗は、無線充電装置２２０及び被充電機器２３０のうちの少なくとも一方が本発明の実施形態に係わる送信電力が調整可能である無線充電方式を支持しないことを示す。ハンドシェイク通信が失敗した場合、第二充電チャンネル２３６を介して、従来の無線充電方法（例えば、ＱＩ規格に基づく無線充電方法）で充電することができる。
【０１２２】
選択的に、別のいくつかの実施形態において、第二通信制御回路２３５は、バッテリ２３２の温度に基づいて、第一充電チャンネル２３３と第二充電チャンネル２３６との間の切り替えを制御することができる。
【０１２３】
例えば、温度が予め設定された第一閾値（例えば、５℃又は１０℃である）より低い場合、第二通信制御回路２３５は、第二充電チャンネル２３６を介して通常の無線充電を行うように制御することができる。温度が第一閾値以上である場合、第二通信制御回路２３５は、第一充電チャンネル２３３を介して急速無線充電を行うように制御することができる。さらに、温度が高温閾値（例えば、５０℃である）より高い場合、第二通信制御回路２３５は無線充電を停止するように制御することができる。
【０１２４】
上述したように、無線受信回路２３１の出力電流は脈動直流電流（ＤＣ）であることができ、このときにバッテリ２３２のリチウム析出を低減し、バッテリの寿命を延ばすことができる。無線受信回路２３１の出力電流が脈動直流電流である場合、第二通信制御回路２３５は検出回路２３４によって脈動直流電流のピーク値又は平均値を検出することができ、従って脈動直流電流のピーク値又は平均値に基づいて次の通信又は制御を実行する。
【０１２５】
検出回路２３４によって脈動直流電流のピーク値を検出することを例とすると、図８に示されたように、検出回路２３４はサンプルホールド回路２３４１を備えることができる。サンプルホールド回路２３４１がサンプル状態にあるとき、サンプルホールド回路２３４１は脈動直流電流に対してサンプリングするために用いられ、サンプルホールド回路２３４１がホールド状態にあるとき、サンプルホールド回路２３４１は脈動直流電流の電流ピーク値をホールドするために用いられる。また、第二通信制御回路２３５は、サンプルホールド回路２３４１がホールド状態にあるか否かを判断するために用いられ、サンプルホールド回路２３４１がホールド状態にあると判断した場合、サンプルホールド回路２３４１がホールドしている脈動直流電流の電流ピーク値を取得する。
【０１２６】
選択的に、いくつかの実施形態において、サンプルホールド回路２３４１はキャパシター（ｃａｐａｃｉｔｏｒ）を備えることができる。サンプルホールド回路２３４１は、サンプルホールド回路２３４１のキャパシターに基づいて脈動直流電流の電流ピーク値をホールドすることができる。検出回路２３４は、放電回路２３４２をさらに備えることができる。第二通信制御回路２３５は、放電回路２３４２によってサンプルホールド回路２３４１のキャパシター両端の電荷を放電し、従ってサンプルホールド回路２３４１がホールド状態からサンプル状態に切り替えるようにする。
【０１２７】
選択的に、いくつかの実施形態において、無線充電装置２２０は、外部インターフェース及び無線データ送信回路をさらに備えることができる。外部インターフェースは、データ処理及び送信機能を有する電子装置に接続されることができる。外部インターフェースは上記した充電インターフェースであることができ、又は他のインターフェースであることもできる。第一通信制御回路２２２は、さらに外部インターフェースがデータ処理及び送信機能を有する電子装置に接続されている過程において、電子装置の出力電力に応じて被充電機器２３０に対して無線充電を行うために用いられる。無線データ送信回路は、無線充電装置が電子装置の出力電力に応じて被充電機器２３０に対して無線充電を行う過程において、無線リンクを介して電子装置に格納されたデータを被充電機器２３０に送信するか、又は無線リンクを介して被充電機器２３０に格納されたデータを電子装置に送信するために用いられる。無線データ送信回路は、ＵＳＢプロトコルフォーマットのデータ、ディスプレイポート（ｄｉｓｐｌａｙ ｐｏｒｔ，ＤＰ）プロトコルフォーマットのデータ、モバイル高精細リンク（ｍｏｂｉｌｅ ｈｉｇｈ−ｄｅｆｉｎｉｔｉｏｎｌｉｎｋ，ＭＨＬ）プロトコルフォーマットのデータのうちの少なくとも１つを送信するために用いられる。
【０１２８】
上述したように、図２〜図８を参照して、本願の装置の実施形態を詳細に説明した。以下、図９〜図１０を参照して、本願の方法の実施形態を詳細に説明する。方法の実施形態は装置の実施形態と互いに対応するので、詳細に説明しなかった部分は上述した装置の実施形を参照することができる。
【０１２９】
図９は、本発明の実施形態に係わる無線充電方法を示すフローチャートである。前記方法は、被充電機器に応用されることができ、例えば、上述した被充電機器２３０であることができる。図９の方法は、ステップＳ９１０〜Ｓ９４０を備える。
【０１３０】
ステップＳ９１０において、無線受信回路を利用して無線充電装置から送信する電磁信号を受信し、電磁信号を無線受信回路の出力電圧及び出力電流に変換する。
【０１３１】
ステップＳ９２０において、無線受信回路の出力電圧及び出力電流に基づいて、第一充電チャンネルでバッテリを充電し、バッテリは互いに直列に接続されたＮ個のセルを含み、Ｎは１より大きい正整数である。
【０１３２】
ステップＳ９３０において、第一充電チャンネルの電圧及び／又は電流を検出する。
【０１３３】
ステップＳ９４０において、第一充電チャンネルの出力電圧及び/又は出力電流がバッテリの現在要求している充電電圧及び/又は充電電流と一致するように、検出された第一充電チャンネルの電圧及び/又は電流に応じて無線充電装置と無線通信を行って、無線充電装置の送信電力を調整する。
【０１３４】
選択的に、ステップＳ９２０は、無線受信回路の出力電圧に対して降圧処理を行って、第一充電チャンネルの出力電圧及び出力電流を獲得し、第一充電チャンネルの出力電圧及び出力電流に応じてバッテリを充電することを備えることができる。
【０１３５】
選択的に、無線受信回路の出力電圧に対して降圧処理を行うことは、Ｂｕｃｋ回路又はチャージポンプを利用して無線受信回路の出力電圧に対して降圧処理を行うことを備える。
【０１３６】
選択的に、ステップＳ９４０は、無線充電装置に調整情報を送信することを備え、調整情報は無線充電装置に電源装置の出力電圧及び/又は出力電流を調整するように指示するために用いられる。
【０１３７】
選択的に、電源装置は、アダプタ、電源バンク又はコンピュータである。
【０１３８】
選択的に、バッテリの現在の充電段階は、トリクル充電段階、定電圧充電段階、定電流充電段階のうちの少なくとも１つを備える。
【０１３９】
選択的に、ステップＳ９４０は、バッテリの定電圧充電段階において、第一充電チャンネルの出力電圧が定電圧充電段階に対応する充電電圧と一致するように、検出された第一充電チャンネルの電圧及び/又は電流に応じて無線充電装置と無線通信を行って、無線充電装置の送信電力を調整するようにすることを備えることができる。
【０１４０】
選択的に、ステップＳ９４０は、バッテリの定電流充電段階において、第一充電チャンネルの出力電流が定電流充電段階に対応する充電電流と一致するように、検出された第一充電チャンネルの電圧及び/又は電流に応じて無線充電装置と無線通信を行って、無線充電装置の送信電力を調整するようにすることを備えることができる。
【０１４１】
選択的に、図９の方法は、無線充電装置にバッテリの状態情報を送信して、無線充電装置がバッテリの状態情報に基づいて無線送信回路の送信電力を調整するようにすることをさらに備え、その中において、バッテリの状態情報は、バッテリの現在の電力及び/又は現在の電圧を含む。
【０１４２】
選択的に、無線通信は、無線双方向通信である。
【０１４３】
選択的に、無線通信は、ブルートゥース、無線忠実度又は後方散乱変調方式に基づく無線通信である。
【０１４４】
選択的に、無線通信の通信情報は、バッテリの温度情報、バッテリの充電電圧及び／又は充電電流のピーク値又は平均値を指示する情報、過電圧保護又は過電流保護に入ることを指示する情報、電力伝送効率情報（無線充電装置と無線受信回路との間の電力伝送効率を指示するために用いられる情報）のうちの少なくとも一種を備える。
【０１４５】
選択的に、図９の方法は、無線受信回路の出力電圧及び/又は出力電流に対して定電圧及び/又は定電流制御を行って、第二充電チャンネルの出力電圧及び/又は出力電流を獲得し、第二充電チャンネルの出力電圧及び/又は出力電流がバッテリの現在要求している充電電圧及び/又は充電電流と一致することにして、且つ第二充電チャンネルの出力電圧及び/又は出力電流に基づいてバッテリを充電すること、第一充電チャンネルと第二充電チャンネルとの間の切り替えを制御すること、をさらに備えることができる。
【０１４６】
選択的に、図９の方法は、無線充電装置とハンドシェイク通信を行って、ハンドシェイク通信が成功した場合、第一充電チャンネルが作動するように制御し、ハンドシェイク通信が失敗した場合、第二充電チャンネルが作動するように制御すること、をさらに備えることができる。
【０１４７】
選択的に、図９の方法は、バッテリの温度に基づいて、第一充電チャンネルと第二充電チャンネルとの間の切り替えを制御すること、をさらに備えることができる。
【０１４８】
選択的に、第一充電チャンネルの電流は一定の直流電流（ＤＣ）、脈動直流電流、又は交流電流（ＡＣ）であることができる。
【０１４９】
選択的に、無線充電装置は第一無線充電モード又は第二無線充電モードで動作可能であり、無線充電装置が第一無線充電モードでバッテリを充電する充電速度は、無線充電装置が第二無線充電モードでバッテリを充電する充電速度より速い。図９の方法は、無線通信装置と通信して、第一無線充電モードと第二無線充電モードのどちらを無線充電に対応させるかを交渉することをさらに備えることができる。
【０１５０】
図１０は、本発明の別の実施形態に係わる無線充電方法を示すフローチャートである。前記方法は、無線充電装置に応用されることができ、例えば、上述した無線充電装置２２０である。図１０の方法は、ステップＳ１０１０〜Ｓ１０３０を備える。
【０１５１】
ステップＳ１０１０において、入力電圧を変換して、変換された出力電圧と出力電流を獲得する。
【０１５２】
ステップＳ１０２０において、変換された出力電圧と出力電流に応じて電磁信号を送信して、被充電機器に対して無線充電を行う。
【０１５３】
ステップＳ１０３０において、無線充電中に被充電機器と無線通信して、電磁信号の送信電力を調整し、電磁信号の送信電力がバッテリの現在要求している充電電圧及び/又は充電電流と一致することにする。
【０１５４】
選択的に、入力電圧は電源装置によって提供される電圧であり、図１０の方法は、電源装置と通信して、電源装置の出力電圧及び／又は出力電流を調整し、従って電磁信号の送信電力を調整することをさらに備えることができる。 
【０１５５】
選択的に、ステップＳ１０３０は、被充電機器が送信する調整情報を受信することを備えることができる。調整情報は、電源装置の出力電圧及び／又は出力電流を調整するように指示するために用いられる。
【０１５６】
選択的に、図１０の方法は、外部から入力された交流電流を受け取り、その交流電流に応じて入力電圧を生成することをさらに備えることができる。
【０１５７】
選択的に、交流電流は２２０Ｖの交流電流である。
【０１５８】
選択的に、バッテリの現在の充電段階は、トリクル充電段階、定電圧充電段階、定電流充電段階のうちの少なくとも１つを備える。
【０１５９】
選択的に、ステップＳ１０３０は、バッテリの定電圧充電段階において、バッテリの充電電圧が定電圧充電段階に対応する充電電圧と一致するように、被充電機器と無線通信して、電磁信号の送信電力を調整することを備えることができる。
【０１６０】
選択的に、ステップＳ１０３０は、バッテリの定電流充電段階において、バッテリの充電電流が定電流充電段階に対応する充電電流と一致するように、被充電機器と無線通信して、電磁信号の送信電力を調整することを備えることができる。
【０１６１】
選択的に、図１０の方法は、被充電機器が送信するバッテリの状態情報を受信し、バッテリの状態情報に基づいて無線送信回路の送信電力を調整することをさらに備えることができ、その中において、バッテリの状態情報は、バッテリの現在の電力及び/又は現在の電圧を含む。
【０１６２】
選択的に、無線通信は、無線双方向通信である。
【０１６３】
選択的に、無線通信は、ブルートゥース、無線忠実度又は後方散乱変調方式に基づく無線通信である。
【０１６４】
選択的に、無線通信の通信情報は、バッテリの温度情報、バッテリの充電電圧及び／又は充電電流のピーク値又は平均値を指示する情報、過電圧保護又は過電流保護に入ることを指示する情報、電力伝送効率情報（無線送信回路と被充電機器との間の電力伝送効率を指示するために用いられる情報）のうちの少なくとも一種を備える。
【０１６５】
選択的に、通信情報は電力伝送効率情報を備え、図１０の方法は、電力伝送効率情報に基づいて電磁信号の送信電力の調整幅を確定することをさらに備えることができる。
【０１６６】
上述した実施形態において、全部又は一部はソフトウェア、ハードウェア、ファームウェア（ｆｉｒｍｗａｒｅ）、又は任意の他の組み合わせによって実現することができる。ソフトウェアによって実現する場合、全部又は一部は、コンピュータプログラム製品の形式で実現することができる。コンピュータプログラム製品は、１つ又は複数のコンピュータ命令を含む。コンピュータにコンピュータプログラム命令をアップロードして実行される場合、本発明の実装形態のプロセス又は機能の全部または一部が実行される。コンピュータは、汎用コンピュータ、専用コンピュータ、コンピュータネットワーク、又は他のプログラム可能な装置であることができる。コンピュータ命令は、コンピュータ可読記憶媒体に記憶することができ、又は１つのコンピュータ可読記憶媒体から別のコンピュータ可読記憶媒体に送信することができる。例えば、コンピュータ命令は、有線（例えば、同軸ケーブル、光ファイバ、デジタル加入者線（ｄｉｇｉｔａｌ ｓｕｂｓｃｒｉｂｅｒ ｌｉｎｅ, ＤＳＬ）である）又は無線（赤外線、無線、マイクロ波などである）方式によって、あるウェブサイト、コンピュータ、サーバ、又はデータセンタから別のウェブサイト、コンピュータ、サーバ、又はデータセンタに送信することができる。コンピュータ可読記憶媒体は、コンピュータがアクセスすることができる任意の利用可能な媒体、又は１つ又は複数の利用可能な媒体統合を含むサーバ、データセンタなどのデータ記憶装置であることができる。使用可能な媒体は、磁気媒体（例えば、ソフトディスク、ハードディスク、磁気テープである）、光学媒体（例えば、デジタルビデオディスク（ｄｉｇｉｔａｌ  ｖｉｄｅｏ  ｄｉｓｃ，ＤＶＤ）である）、又は半導体媒体（例えば、ソリッドステートディスク（ｓｏｌｉｄ  ｓｔａｔｅ  ｄｉｓｋ，ＳＳＤ）である）などであることができる
【０１６７】
本願に開示された実施例に基づいて記載される各例示のユニット及びアルゴリズムステップは、電子ハードウェア、又はコンピュータープログラムと電子ハードウェアとの組み合わせにより実現され得ることは、当業者とって明らかである。これらの機能は、ハードウェアにより実行されるか又はソフトウェアにより実行されるかについて、技術方案の特定の応用場合や設計の制限条件などによって決められる。当業者は、特定応用ごとに異なる方法を使用して記載される機能を実現できるが、これらの実現は、本発明の範囲を超えると見なされるべきではない。
【０１６８】
本願によって提供される幾つかの実施形態において、開示されるシステム、装置及び方法は、他の形態により実現され得ると理解されるべきである。例えば、上記に説明された装置の実施例は、例示するためのものに過ぎない。例えば、ユニットの分割は、ロジック機能の分割に過ぎず、実際に実現するときに別の分割形態を有してもよい。例えば、複数のユニット又は部品を組み合わせ、又は別のシステムに集積し、又は若干の特徴を無視し、又は実行しなくてもよい。さらに、図示又は検討する相互間の結合や直接結合や通信接続は、いくつかのインタフェース、装置、又はユニットの間接結合や通信接続であってもよく、電気、機械や他の形態であってもよい。
【０１６９】
本出願に言及される装置、設備は、全てチップシステムであることができ、又はケーシングを有する装置又は設備であることもできる。
【０１７０】
分離部品として記載されたユニットは、物理的に分離してもよいし、分離しなくてもよい。ユニットとして表示される部品は、物理的なユニットであってもよいし、物理的なユニットではなくておもよい。即ち、一つの箇所に設置してもよいし、複数のネットワークユニットに設置してもよい。実際の要求に応じて一部又は全部のユニットを選択して本実施例の技術方案の目的を実現することができる。
【０１７１】
また、本発明に係る各実施例の各機能ユニットは、１つの処理ユニットに集積されてもよいし、物理的に分離された複数のユニットとして存在してもよいし、２つ以上のユニットは１つのユニットに集積してもよい。
【０１７２】
上述したのは、ただ本願の具体的な実施形態であり、本願の保護範囲はこれに限定されるものではない。当業者であれば、本願に開示された技術範囲内で変更又は置換を容易に想到しうることであり、全て本出願の範囲内に含まれるべきである。従って本願の保護範囲は特許請求の範囲によって決めるべきである。
【図１】
0006972159.tif 000002
【図２】
0006972159.tif 000003
【図３】
0006972159.tif 000004
【図４】
0006972159.tif 000005
【図５】
0006972159.tif 000006
【図６】
0006972159.tif 000007
【図７】
0006972159.tif 000008
【図８】
0006972159.tif 000009
【図９】
0006972159.tif 000010
【図１０】
0006972159.tif 000011